(57)【要約】【課題】ハードタイプの保護部材を装着した携帯機器において、落下による衝撃から携帯機器を保護するための、携帯機器用の衝撃吸収体及び該衝撃吸収体を備えるハードタイプの保護部材を提供する。【解決手段】携帯機器の筐体に嵌合装着されるハードタイプの保護部材１の内面と前記携帯機器の筐体の外面との間に介在配置される衝撃吸収体１１であって、衝撃吸収体が、衝撃吸収特性を有するシート状又はフィルム状の要素であり、保護部材の底面及び／又は側面の内面形状に合うように構成されている。【選択図】図３
2014127983.tif 000002
【特許請求の範囲】
【請求項１】
携帯機器の筐体に嵌合装着されるハードタイプの保護部材の内面と前記携帯機器の筐体の外面との間に介在配置される衝撃吸収体であって、
前記衝撃吸収体が、衝撃吸収特性を有するシート状又はフィルム状の要素であり、前記保護部材の底面及び／又は側面の内面形状に合うように構成されている、携帯機器用の衝撃吸収体。
【請求項２】
請求項１に記載の衝撃吸収体において、
シート状又はフィルム状である基体層の上に衝撃吸収層が形成されている、衝撃吸収体。
【請求項３】
請求項２に記載の衝撃吸収体において、
前記衝撃吸収層の上には、接着性及び／又は粘着性を有する固着層が形成されている、衝撃吸収体。
【請求項４】
請求項１に記載の衝撃吸収体において、
前記衝撃吸収体が、衝撃吸収材料からなるシート体又はフィルム体である、衝撃吸収体。
【請求項５】
請求項１に記載の衝撃吸収体において、
前記衝撃吸収体が側面部及び底面部を有する場合、前記側面部が前記底面部に連結されている、衝撃吸収体。
【請求項６】
請求項５に記載の衝撃吸収体において、
前記衝撃吸収体の前記側面部と前記底面部との境界には、折り目が形成されている、衝撃吸収体。
【請求項７】
請求項６に記載の衝撃吸収体において、
前記折り目がミシン目である、衝撃吸収体。
【請求項８】
請求項１に記載の衝撃吸収体において、
前記衝撃吸収体が側面部及び底面部を有する場合、前記側面部及び前記底面部が別体に構成されている、衝撃吸収体。
【請求項９】
請求項１乃至８に記載の衝撃吸収体を備えるハードタイプの保護部材。
【発明の詳細な説明】
【技術分野】
【０００１】
この発明は、スマートファンや携帯電話やタブレット型ＰＣや携帯ゲーム機のような携帯機器を落下による衝撃から保護するための衝撃吸収体及び該衝撃吸収体を備えるハードケースに関する。
【背景技術】
【０００２】
従来、傷や落下による衝撃から携帯機器を保護するための保護部材（ケースあるいはカバー）として、ハードタイプのもの又はソフトタイプのものが用いられている。ハードタイプのものとして、携帯機器を覆うように樹脂材料を成形したものが、特許文献１に開示されている。また、ソフトタイプのものとして、携帯機器の全体を覆うようにシリコーンゴムを一体成形したものが、特許文献２に開示されている。
【先行技術文献】
【特許文献】
【０００３】
【特許文献１】特開２００１−２４６１４９号公報
【特許文献２】特開２００７−１５９７１６号公報
【発明の概要】
【発明が解決しようとする課題】
【０００４】
ハードタイプの保護部材は、例えば、ポリカーボネートのような硬質の樹脂材料から作られていて、携帯機器への嵌合装着が容易であることあるいは手触りが良いこと等の利点を有するが、耐衝撃性が低いために落下による衝撃から携帯機器を保護するのには不適切である。
【０００５】
他方、ソフトタイプの保護部材は、例えば、シリコーンゴムやポリウレタンのような軟質の弾性材料から作られていて、落下による衝撃から携帯機器を保護するのには好適であるが、携帯機器への装着が難しいことあるいは手触りが悪い等の問題がある。
【０００６】
したがって、この発明の解決すべき技術的課題は、ハードタイプの保護部材を装着した携帯機器において、落下による衝撃から携帯機器を保護するための、携帯機器用の衝撃吸収体及び該衝撃吸収体を備えるハードタイプの保護部材を提供することである。
【課題を解決するための手段】
【０００７】
上記技術的課題を解決するために、この発明によれば、以下の携帯機器用の衝撃吸収体及び該衝撃吸収体を備えるハードタイプの保護部材が提供される。
【０００８】
すなわち、この発明の請求項１に係る携帯機器用の衝撃吸収体では、
携帯機器の筐体に嵌合装着されるハードタイプの保護部材の内面と前記携帯機器の筐体の外面との間に介在配置される衝撃吸収体であって、
前記衝撃吸収体が、衝撃吸収特性を有するシート状又はフィルム状の要素であり、前記保護部材の底面及び／又は側面の内面形状に合うように構成されていることを特徴とする。
【０００９】
この発明の請求項２に係る携帯機器用の衝撃吸収体では、シート状又はフィルム状である基体層の上に衝撃吸収層が形成されていることを特徴とする。
【００１０】
この発明の請求項３に係る携帯機器用の衝撃吸収体では、前記衝撃吸収層の上には、接着性及び／又は粘着性を有する固着層が形成されていることを特徴とする。
【００１１】
この発明の請求項４に係る携帯機器用の衝撃吸収体では、前記衝撃吸収体が、衝撃吸収材料からなるシート体又はフィルム体であることを特徴とする。
【００１２】
この発明の請求項５に係る携帯機器用の衝撃吸収体では、前記衝撃吸収体が側面部及び底面部を有する場合、前記側面部が前記底面部に連結されていることを特徴とする。
【００１３】
この発明の請求項６に係る携帯機器用の衝撃吸収体では、前記衝撃吸収体の前記側面部と前記底面部との境界には、折り目が形成されていることを特徴とする。
【００１４】
この発明の請求項７に係る携帯機器用の衝撃吸収体では、前記折り目がミシン目であることを特徴とする。
【００１５】
この発明の請求項８に係る携帯機器用の衝撃吸収体では、前記衝撃吸収体が側面部及び底面部を有する場合、前記側面部及び前記底面部が別体に構成されていることを特徴とする。
【００１６】
この発明の請求項９に係るハードタイプの保護部材では、請求項１乃至８に記載の衝撃吸収体を備えることを特徴とする。
【発明の効果】
【００１７】
請求項１に係るこの発明では、衝撃吸収特性を有して、保護部材の底面及び／又は側面の内面形状に合うように構成された衝撃吸収体が、ハードタイプの保護部材の内面と携帯機器の筐体の外面との間に介在配置されることにより、ハードタイプの保護部材に衝撃吸収特性を与えることができ、ハードタイプの保護部材を装着した携帯機器において、落下による衝撃から携帯機器を保護することができるという効果を奏する。
【００１８】
請求項２に係るこの発明では、シート状又はフィルム状である基体層が携帯機器の筐体の外面に対向するように配置することにより、シート状又はフィルム状である基体層が非接着性セパレータとして働き、衝撃吸収体が携帯機器の筐体の外面に対して着脱自在となるので、携帯機器に対して可逆的な装着及び脱離を行うことができるという効果を奏する。
【００１９】
請求項３に係るこの発明では、衝撃吸収層の上に形成された接着及び／又は粘着の固着層により、保護部材の内面に衝撃吸収体を固定することができ、衝撃吸収体の保護部材への取り付け安定性が向上するという効果を奏する。
【００２０】
請求項４に係るこの発明では、衝撃吸収材料からなるシート体又はフィルム体のように構成要素の数を減らすことにより、低コスト化を図ることができるという効果を奏する。
【００２１】
請求項５に係るこの発明では、衝撃吸収体を構成する部品点数を増やさないで済み、衝撃吸収体の取り扱いも容易であるという効果を奏する。
【００２２】
請求項６に係るこの発明では、衝撃吸収体の前記側面部と前記底面部との境界が明瞭になり、衝撃吸収体の取り扱いが容易になるという効果を奏する。
【００２３】
請求項７に係るこの発明では、ミシン目の加工が容易であり、折り目としてのミシン目の形態が長期間にわたって維持されるという効果を奏する。
【００２４】
請求項８に係るこの発明では、底面部に対して側面部を一体物で作成することが困難である複雑な形状にも対応できるという効果を奏する。
【００２５】
請求項９に係るこの発明では、衝撃吸収体付きのハードタイプの保護部材を提供するという効果を奏する。
【図面の簡単な説明】
【００２６】
【図１】携帯機器に嵌合装着されるハードタイプの保護部材の斜視図である。
【図２】この発明の第一実施形態に係る携帯機器用の衝撃吸収体の斜視図である。（Ａ）は衝撃吸収体を展開した状態を示し、（Ｂ）は衝撃吸収体を折り曲げた状態を示す。
【図３】図２に示した衝撃吸収体を、図１に示した保護部材に取り付けた状態を示す斜視図である。
【図４】この発明の第二実施形態に係る携帯機器用の衝撃吸収体の斜視図である。
【図５】図４に示した衝撃吸収体を、図１に示した保護部材に取り付けた状態を示す斜視図である。
【発明を実施するための形態】
【００２７】
以下に、この発明の第一実施形態に係る携帯機器用の衝撃吸収体１１及び該衝撃吸収体１１を備えるハードタイプの保護部材１００について、図１乃至３を参照しながら詳細に説明する。
【００２８】
図１は、図示しない携帯機器に嵌合装着されるハードタイプの保護部材１の斜視図である。ハードタイプの保護部材１が嵌合装着される携帯機器は、スマートファンや携帯電話やタブレット型ＰＣや携帯ゲーム機等であり、四隅に丸みを持った平面視略矩形をした箱形の筐体を有している。携帯機器は、一般的に、筐体の前面部に表示面を備えるとともに、上下や左右の側面部に各種の接続端子や操作ボタン、及び、スピーカーを備えている。例えば、米国アップル社製のスマートフォン「ｉＰｈｏｎｅ（アイフォーン）５（登録商標）」においては、電源ＯＮ／ＯＦＦボタンが上側面部に配置され、充電・ＰＣ接続用の端子やイヤホンジャックやスピーカーが下側面部に配置され、サウンドＯＮ／ＯＦＦボタンや音量調節ボタンが左側面部に配置されている。
【００２９】
図１に示すように、例えば、スマートファンに対応するハードタイプの保護部材１は、前面の略全面が表示面となっているので前面部を備えておらず、略板状の底面部２に対して屈曲部を介して側面部３，４が連結されたボディから構成されている。保護部材１の底面部２は、携帯機器の底面部に対応した形状になっており、例えば、図示しない内蔵カメラの撮像レンズやＬＥＤフラッシュのための開口部２ａを有している。保護部材１の左側面部３は、例えば、上述したような操作ボタンを操作することができるように、左上コーナー部７と左下コーナー部９との間において左側面部３の一部分を切り欠くことによって形成された切欠部３ａを有している。また、保護部材１の上側面部５は、例えば、上述したような操作ボタンを操作することができるように、左上コーナー部７と右上コーナー部８との間において上側面部５の一部分を切り欠くことによって形成された切欠部５ａを有している。保護部材１の下側面部６は、例えば、上述したような接続端子等に接続したり音を出力したりすることができるように、左下コーナー部９と右下コーナー部１０との間において下側面部６の一部分を切り欠くことによって形成された切欠部６ａを有している。
【００３０】
ハードタイプの保護部材１のボディは、例えば、ポリカーボネートのような硬質の樹脂材料から構成されている。なお、ハードタイプの保護部材１のボディは、使用者の好みに応じて、着色したり透明色としたりすることができる。また、ハードタイプの保護部材１のボディは、携帯機器の底面部及び側面部に対して嵌合装着できるように寸法構成されている。すなわち、ハードタイプの保護部材１の内側寸法は、携帯機器の外形寸法よりも小さめに設計及び作成されており、保護部材１に対して携帯機器を取り付けると、ハードタイプの保護部材１の弾性力により、ハードタイプの保護部材１が携帯機器に嵌合装着される。なお、衝撃吸収体１１の厚みが薄ければ、これまで使用されているのと同じ寸法で構成された保護部材１を用いることも可能であるが、衝撃吸収体１１の厚みが厚ければ、衝撃吸収体１１の厚み分を見込んで、衝撃吸収体１１の厚みを加味した従来よりも大きめに寸法構成した保護部材１を用いることができる。
【００３１】
図２に示すように、衝撃吸収体１１の外形形状は、上述したハードタイプの保護部材１を構成する底面部２の内面２ｂ、左側面部３の内面３ｂ、右側面部４の内面４ｂ、左上コーナー部７の内面、左下コーナー部９の内面、右上コーナー部８の内面、右下コーナー部１０の内面の各形状に対応するように構成されている。図２（Ａ）は、衝撃吸収体１１を展開した状態を示す斜視図であり、図２（Ｂ）は、衝撃吸収体１１を折り曲げた状態を示す斜視図である。
【００３２】
図２（Ａ）において、衝撃吸収体１１は、略矩形状の底面部１２に対して、折り目として働くミシン目Ｐを介して、左側面部１３と右側面部１４と左上コーナー部１７とがそれぞれ連結された構成をしている。当該連結構造によれば、衝撃吸収体１１を構成する部品点数を増やさないで済み、衝撃吸収体１１の取り扱いも容易であるという効果を奏する。また、当該ミシン目Ｐを用いた折り目構造によれば、ミシン目Ｐの加工が容易であり、折り目としてのミシン目Ｐの形態が長期間にわたって維持されるという効果を奏する。
【００３３】
また、左下コーナー部１９が左側面部１３の下端部から下方に延びており、右側面部１４の上端部及び下端部から右上コーナー部１８及び右下コーナー部２０がそれぞれ上下方向に延びている。左側面部１３の上端部と左上コーナー部１７の下端部との間には、切欠部１３ａが形成されている。底面部１２の右上部には、開口部１２ａが形成されている。また、図２（ａ）に示されている側の面が、底面部１２の内面１２ｂ、左側面部１３の内面１３ｂ、右側面部１４の内面１４ｂ、左上コーナー部１７の内面、左下コーナー部１９の内面、右上コーナー部１８の内面及び右下コーナー部２０の内面をそれぞれ構成している。
【００３４】
図２（Ｂ）に示した衝撃吸収体１１は、図２（Ａ）に示した衝撃吸収体１１に対して、ミシン目Ｐを折り目として、左側面部１３と右側面部１４と左上コーナー部１７とをそれぞれ折り曲げて直立させたものである。そして、図２（Ｂ）に示した衝撃吸収体１１における底面部１２、左側面部１３、右側面部１４、左上コーナー部１７、左下コーナー部１９、右上コーナー部１８、右下コーナー部２０、切欠部１３ａ及び開口部１２ａは、それぞれ、図１に示したハードタイプの保護部材１における底面部２、左側面部３、右側面部４、左上コーナー部７、左下コーナー部９、右上コーナー部８、右下コーナー部１０、切欠部３ａ及び開口部２ａに対応している。
【００３５】
衝撃吸収体１１は、例えば、略矩形をしたシート状又はフィルム状である基体層と、略矩形をしたシート状又はフィルム状である衝撃吸収層と、接着性及び／又は粘着性を有する固着層とが、この順序で一体的に積層された積層構造となっている。例えば、基体層がポリエチレンテレフタレート（ＰＥＴ）等の層であり、衝撃吸収層がシリコーンやポリウレタン等からなる衝撃吸収特性を有するゲル状材料の層であり、固着層がシリコーン材料等の層である。また、例えば、基体層の厚みが１００μｍであり、衝撃吸収層の厚みが４００μｍであり、固着層の厚みが１００μｍである。衝撃吸収体１１は、例えば、金型を用いた打ち抜き加工によって作成される。
【００３６】
衝撃吸収体１１の接着性及び／又は粘着性を有する固着層がハードタイプの保護部材１の各内面２ｂ，３ｂ，４ｂに対向するように配置したあと、図３に示すように、図２（Ｂ）のように折り曲げられた衝撃吸収体１１は、図１に示したハードタイプの保護部材１の各内面２ｂ，３ｂ，４ｂに固着されて、一体型の衝撃吸収体１１付き保護部材１００が作成される。衝撃吸収体１１が固着層を備えることにより、保護部材１の内面に衝撃吸収体１１を固定して取り付けることができ、衝撃吸収体１１の保護部材１への取り付け安定性が向上するという効果を奏する。
【００３７】
そして、保護部材１に取り付けられた衝撃吸収体１１の底面部１２の内面１２ｂ、左側面部１３の内面１３ｂ、右側面部１４の内面１４ｂ、左上コーナー部１７の内面、左下コーナー部１９の内面、右上コーナー部１８の内面及び右下コーナー部２０の内面においては、基体層が露出するとともに、基体層が携帯機器の筐体の外面に対向するように配置される。基体層を介することによって、衝撃吸収体１１の基体層が非接着性セパレータとして働き、衝撃吸収体１１が携帯機器の筐体の外面に対して着脱自在となるので、携帯機器に対して可逆的な装着及び脱離を行うことができるという効果を奏する。
【００３８】
以上のように、第一実施形態に係る一体型の衝撃吸収体１１が取り付けられた保護部材１００では、衝撃吸収特性を有して、保護部材１の底面部２の内面２ｂ、左側面部３の内面３ｂ、右側面部４の内面４ｂ、左上コーナー部７の内面、左下コーナー部９の内面、右上コーナー部８の内面及び右下コーナー部１０の内面の各形状に合うように構成された衝撃吸収体１１が、ハードタイプの保護部材１の各内面２ｂ，３ｂ，４ｂと携帯機器の筐体の外面との間に介在配置されている。当該構成によれば、ハードタイプの保護部材１に衝撃吸収特性を与えることができ、一体型の衝撃吸収体１１付き保護部材１００を装着した携帯機器において、落下による衝撃から携帯機器を保護することができるという効果を奏する。
【００３９】
次に、この発明の第二実施形態に係る携帯機器用の衝撃吸収体３１及び該衝撃吸収体３１を備えるハードタイプの保護部材１１０について、図４乃至５を参照しながら説明する。
【００４０】
当該第二実施形態の衝撃吸収体３１は、上述した第一実施形態に係る衝撃吸収体１１との比較で、左右の側面部３３，３４と左上コーナー部３７とが底面部３２に対してそれぞれ別体に構成されていることを特徴としている。したがって、当該第二実施形態における衝撃吸収体１１の基本構造は、第一実施形態における衝撃吸収体１１と類似しているので、相違点を中心に以下に説明する。
【００４１】
この発明の第二実施形態に係る衝撃吸収体３１は、図４に示すように、底面部３２と左側面部３３と右側面部３４と左上コーナー部３７という複数のパーツから構成され、左右の側面部３３，３４と左上コーナー部３７とが、底面部３２に対してそれぞれ別体に構成されている。
【００４２】
底面部３２は、四隅に丸みを持った略矩形形状をしている。底面部３２の右上部には、開口部３２ａが形成されている。左側面部３３及び右側面部３４は、それぞれ、上下方向に延びる細長い矩形形状をしている。左側面部３３の下端部から左下コーナー部３９が延びている。右側面部３４の上端部及び下端部から右上コーナー部３８及び右下コーナー部４０がそれぞれ延びている。左上コーナー部３７は、矩形形状をしている。図４に示した衝撃吸収体３１の左側面部３３、右側面部３４及び左上コーナー部３７は、それぞれ、図２に示した衝撃吸収体１１の左側面部１３、右側面部１４及び左上コーナー部１７に対応している。
【００４３】
衝撃吸収体１１を構成する各パーツすなわち底面部３２と左側面部３３と右側面部３４と左上コーナー部３７との各外形形状は、図１に示したハードタイプの保護部材１を構成する底面部２の内面２ｂ、左側面部３の内面３ｂ、右側面部４の内面４ｂ、左上コーナー部７の内面、左下コーナー部９の内面、右上コーナー部８の内面及び右下コーナー部１０の内面の各形状に対応するように構成されている。
【００４４】
また、図４に示されている側の面が、底面部３２の内面３２ｂ、左側面部３３の内面３３ｂ、右側面部３４の内面３４ｂ、左上コーナー部３７の内面、左下コーナー部３９の内面、右上コーナー部３８の内面及び右下コーナー部４０の内面をそれぞれ構成している。
【００４５】
第二実施形態に係る衝撃吸収体３１は、第一実施形態に係る衝撃吸収体１１と同様に、略矩形をしたシート体又はフィルム体であって、例えば、基体層と、衝撃吸収層と、接着性及び／又は粘着性を有する固着層とが、この順序で一体的に積層された積層構造となっている。
【００４６】
衝撃吸収体３１を構成する各パーツ３２，３３，３４，３７の接着性及び／又は粘着性を有する固着層が、ハードタイプの保護部材１の各内面２ｂ，３ｂ，４ｂに対向するように個別に配置したあと、衝撃吸収体３１の各パーツ３２，３３，３４，３７は、図１に示したハードタイプの保護部材１の各内面２ｂ，３ｂ，４ｂに固着されて、分離型の衝撃吸収体３１付き保護部材１１０が作成される。衝撃吸収体３１が固着層を備えることにより、保護部材１の内面の所定場所に衝撃吸収体３１の各パーツ３２，３３，３４，３７を固定して取り付けることができ、衝撃吸収体３１の保護部材１への取り付け安定性が向上するという効果を奏する。
【００４７】
そして、保護部材１に取り付けられた衝撃吸収体３１の底面部３２の内面３２ｂ、左側面部３３の内面３３ｂ、右側面部３４の内面３４ｂ、左上コーナー部３７の内面、左下コーナー部３９の内面、右上コーナー部３８の内面及び右下コーナー部４０の内面においては、基体層が露出するとともに、基体層が携帯機器の筐体の外面に対向するように配置される。基体層を介することによって、衝撃吸収体３１の基体層が非接着性セパレータとして働き、衝撃吸収体３１が携帯機器の筐体の外面に対して着脱自在となるので、携帯機器に対して可逆的な装着及び脱離を行うことができるという効果を奏する。
【００４８】
以上のように、第二実施形態に係る分離型の衝撃吸収体３１が取り付けられた保護部材１１０では、衝撃吸収特性を有して、衝撃吸収体３１を構成する各パーツ３２，３３，３４，３７が、ハードタイプの保護部材１の各内面２ｂ，３ｂ，４ｂと携帯機器の筐体の外面との間に介在配置されている。分離型の衝撃吸収体３１付き保護部材１１０は、ハードタイプの保護部材１に衝撃吸収特性を与えることができることに加えて、底面部３２に対して側面部３３，３４やコーナー部３７，３８，３９，４０を一体物で作成することが困難である複雑な形状にも対応できるという効果を奏する。
【００４９】
なお、衝撃吸収体１１，３１の構成や形態は、保護部材１すなわち携帯機器の構成や形態に応じて適宜に変化させることができる。また、好適には、衝撃吸収体１１，３１が保護部材１からはみ出さないように、衝撃吸収体１１，３１は、保護部材１よりも小さめに寸法構成される。衝撃吸収体１１，３１の形状は、基本的には保護部材１と大略同じ形状になっているが、衝撃吸収特性に支障が出ない範囲で部分的に切り欠いた形状とすることもできる。
【００５０】
上述した衝撃吸収体１１，３１は、基体層と衝撃吸収層と固着層とが一体的に積層された３層構造となっているが、基体層及び／又は固着層を省略した構造にすることもできる。すなわち、衝撃吸収体１１，３１は、シート状又はフィルム状である基体層と衝撃吸収層とを備える２層構造や、シート状又はフィルム状である衝撃吸収層のみからなる単層構造とすることもできる。
【００５１】
基体層と衝撃吸収層とを備える２層構造は、例えば、ポリエチレンテレフタレートの基体層（厚みが１００μｍ）と衝撃吸収特性を有するゲル層（厚みが４００μｍ）という構成である。上記２層構造では、基体層が非接着性セパレータとして働き、衝撃吸収層（ゲル層）の粘着性を利用することで固着層の使用を不要にするものであり、構成要素数の削減により低コスト化を図ることができる。また、衝撃吸収特性を有するゲル層（厚みが４００μｍ）のみからなる単層構造では、衝撃吸収層のそれ自身の粘着性により、保護部材１と携帯機器の筐体とに対して衝撃吸収層が粘着固定されて、可逆的な装着及び脱離を可能にする。
【００５２】
上述した実施形態及びその変形例は、この発明の理解を容易にするための例示であり、限定的に解釈するべきではない。この発明の技術的範囲は、特許請求の範囲によって画定されるべきである。
【符号の説明】
【００５３】
１：ハードタイプの保護部材
２：底面部
３：左側面部
４：右側面部
１１：一体型の衝撃吸収体
１２：底面部
１３：左側面部
１４：右側面部
３１：分離型の衝撃吸収体
３２：底面部
３３：左側面部
３４：右側面部
１００：一体型の衝撃吸収体付き保護部材
１１０：分離型の衝撃吸収体付き保護部材
Ｐ：ミシン目
【図１】
2014127983.tif 000003
【図２】
2014127983.tif 000004
【図３】
2014127983.tif 000005
【図４】
2014127983.tif 000006
【図５】
2014127983.tif 000007